(57)【要約】【課題】使用者によりタブ紙の挿入位置を指定することを必要とすることなく、異なる状況下においても同じ挿入位置にタブ紙を挿入する。【解決手段】属性情報取得部３３は、印刷ジョブ格納部３２に格納された印刷ジョブから構造化文書中に記述されている属性情報を取得する。挿入位置決定部３４は、属性情報取得部３３により取得された属性情報に基づいて、印刷された文書を区切るためのタブ紙を挿入する挿入位置を決定する。タブ紙設定部３５は、属性情報取得部３３により取得された属性情報に含まれる言語属性に基づいて、タブ紙のタブ領域に印刷する色を設定する。出力制御部３６は、タブ紙設定部３５により設定されたタブ紙の印刷に関する設定に基づいてタブ紙の印刷を行うとともに、挿入位置決定部３４により決定された挿入位置にタブ紙を挿入して、印刷ジョブに基づく画像を出力するように画像出力部３７を制御する。【選択図】図３
2013107360.tif 000002
【特許請求の範囲】
【請求項１】
文書構造を示すタグ情報を含む構造化文書により表現された文書を印刷するための印刷指示を受け付ける受付手段と、
前記受付手段により受け付けられた印刷指示から構造化文書中に記述されている属性情報を取得する取得手段と、
前記取得手段により取得された属性情報に基づいて、印刷された文書を区切るための合紙を挿入する挿入位置を決定する決定手段と、
前記受付手段により受け付けられた印刷指示に基づいた画像を印刷用紙上に出力するための画像出力手段と、
前記決定手段により決定された挿入位置に合紙を挿入して前記印刷指示に基づく画像を出力するように前記画像出力手段を制御する出力制御手段と、
を備えた画像形成装置。
【請求項２】
前記決定手段は、前記属性情報に含まれる章または節の情報に基づいて、合紙を挿入する挿入位置を決定する請求項１記載の画像形成装置。
【請求項３】
前記合紙が、用紙の一辺から突出したタブ領域を有するタブ紙である請求項１または２記載の画像形成装置。
【請求項４】
前記属性情報に含まれる言語属性に基づいて、タブ領域に印刷する色を設定するタブ設定手段をさらに備えた請求項３記載の画像形成装置。
【請求項５】
前記出力制御手段は、前記属性情報に含まれる言語属性に基づいて、印刷する際に使用する用紙種類を切り替えるとともに、前記属性情報に含まれる言語属性が異なり前記属性情報に含まれる章または節が同じ文書が、同一のタブ紙により区切られた中に収まるように印刷順序を変更するよう前記画像出力手段を制御する請求項３記載の画像形成装置。
【請求項６】
前記出力制御手段は、前記属性情報に含まれる言語属性が変化した場合に、タブ領域が設けられている位置が異なる複数のタブ紙により構成されているタブ紙組のうちの残りのタブ紙を使用せずに排出するよう制御する請求項３記載の画像形成装置。
【請求項７】
文書構造を示すタグ情報を含む構造化文書により表現された文書を印刷するための印刷指示を受け付ける受付手段と、
前記受付手段により受け付けられた印刷指示から構造化文書中に記述されている文書構造に関する属性情報および合紙の印刷設定に関する属性情報を取得する取得手段と、
前記取得手段により取得された文書構造に関する属性情報に基づいて、印刷された文書を区切るための合紙を挿入する挿入位置を決定する決定手段と、
前記取得手段により取得された合紙の印刷設定に関する属性情報に基づいて、合紙に対する印刷処理の設定を行う設定手段と、
前記受付手段により受け付けられた印刷指示に基づいた画像を印刷用紙上に出力するための画像出力手段と、
前記設定手段により設定された印刷処理により合紙の印刷処理を行い、前記決定手段により決定された挿入位置に合紙を挿入して前記印刷指示に基づく画像を出力するように前記画像出力手段を制御する出力制御手段と、
を備えた画像形成装置。
【請求項８】
文書構造を示すタグ情報を含む構造化文書により表現された文書を印刷するための印刷指示を受け付けるステップと、
受け付けられた印刷指示から構造化文書中に記述されている属性情報を取得するステップと、
取得された属性情報に基づいて、印刷された文書を区切るための合紙を挿入する挿入位置を決定するステップと、
決定された挿入位置に合紙を挿入して前記印刷指示に基づく画像を印刷用紙上に出力するように、受け付けられた印刷指示に基づいた画像を出力するための画像出力手段を制御するステップとをコンピュータに実行させるためのプログラム。
【発明の詳細な説明】
【技術分野】
【０００１】
本発明は、画像形成装置およびプログラムに関する。
【背景技術】
【０００２】
特許文献１には、印刷対象のドキュメントのページ単位で、章またはセクションの開始位置が含まれるか否かを判断し、章またはセクションの開始位置が含まれる場合には、そのページを印刷する前に、その区切り位置において所定の条件で文字列を抽出し、抽出した文字列を印刷するようにした印刷装置が開示されている。
【０００３】
特許文献２には、クライアント側装置でタブ紙の挿入位置を指定するとともに、連続する色あるいは模様等を設定することで、印刷された文章を一見しただけで所望のページ位置を感覚的に把握できるようにタブ紙を挿入する画像形成システムが開示されている。
【０００４】
特許文献３には、タブ部に印刷するめの見出し情報の文字数や文字サイズや行数がしきい値を超えている場合には、タブ部には見出し情報に替えて英数字を印刷し、タブ部に印刷した英数字と見出し情報を対応させてインデックス紙に印刷するようにした画像形成システムが開示されている。
【先行技術文献】
【特許文献】
【０００５】
【特許文献１】特開２００４−１７４８５２号公報
【特許文献２】特開２００５−１８２７５７号公報
【特許文献３】特開２００８−２１００３号公報
【発明の概要】
【発明が解決しようとする課題】
【０００６】
本発明の目的は、使用者によりタブ紙等の合紙の挿入位置を指定することを必要とすることなく、異なる状況下においても同じ挿入位置に合紙を挿入することが可能な画像形成装置およびプログラムを提供することである。
【課題を解決するための手段】
【０００７】
［画像形成装置］
請求項１に係る本発明は、文書構造を示すタグ情報を含む構造化文書により表現された文書を印刷するための印刷指示を受け付ける受付手段と、
前記受付手段により受け付けられた印刷指示から構造化文書中に記述されている属性情報を取得する取得手段と、
前記取得手段により取得された属性情報に基づいて、印刷された文書を区切るための合紙を挿入する挿入位置を決定する決定手段と、
前記受付手段により受け付けられた印刷指示に基づいた画像を印刷用紙上に出力するための画像出力手段と、
前記決定手段により決定された挿入位置に合紙を挿入して前記印刷指示に基づく画像を出力するように前記画像出力手段を制御する出力制御手段とを備えた画像形成装置である。
【０００８】
請求項２に係る本発明は、前記決定手段が、前記属性情報に含まれる章または節の情報に基づいて、合紙を挿入する挿入位置を決定する請求項１記載の画像形成装置である。
【０００９】
請求項３に係る本発明は、前記合紙が、用紙の一辺から突出したタブ領域を有するタブ紙である請求項１または２記載の画像形成装置である。
【００１０】
請求項４に係る本発明は、前記属性情報に含まれる言語属性に基づいて、タブ領域に印刷する色を設定するタブ設定手段をさらに備えた請求項３記載の画像形成装置である。
【００１１】
請求項５に係る本発明は、前記出力制御手段が、前記属性情報に含まれる言語属性に基づいて、印刷する際に使用する用紙種類を切り替えるとともに、前記属性情報に含まれる言語属性が異なり前記属性情報に含まれる章または節が同じ文書が、同一のタブ紙により区切られた中に収まるように印刷順序を変更するよう前記画像出力手段を制御する請求項３記載の画像形成装置である。
【００１２】
請求項６に係る本発明は、前記出力制御手段が、前記属性情報に含まれる言語属性が変化した場合に、タブ領域が設けられている位置が異なる複数のタブ紙により構成されているタブ紙組のうちの残りのタブ紙を使用せずに排出するよう制御する請求項３記載の画像形成装置である。
【００１３】
請求項７に係る本発明は、文書構造を示すタグ情報を含む構造化文書により表現された文書を印刷するための印刷指示を受け付ける受付手段と、
前記受付手段により受け付けられた印刷指示から構造化文書中に記述されている文書構造に関する属性情報および合紙の印刷設定に関する属性情報を取得する取得手段と、
前記取得手段により取得された文書構造に関する属性情報に基づいて、印刷された文書を区切るための合紙を挿入する挿入位置を決定する決定手段と、
前記取得手段により取得された合紙の印刷設定に関する属性情報に基づいて、合紙に対する印刷処理の設定を行う設定手段と、
前記受付手段により受け付けられた印刷指示に基づいた画像を印刷用紙上に出力するための画像出力手段と、
前記設定手段により設定された印刷処理により合紙の印刷処理を行い、前記決定手段により決定された挿入位置に合紙を挿入して前記印刷指示に基づく画像を出力するように前記画像出力手段を制御する出力制御手段とを備えた画像形成装置である。
【００１４】
[プログラム]
請求項８に係る本発明は、文書構造を示すタグ情報を含む構造化文書により表現された文書を印刷するための印刷指示を受け付けるステップと、
受け付けられた印刷指示から構造化文書中に記述されている属性情報を取得するステップと、
取得された属性情報に基づいて、印刷された文書を区切るための合紙を挿入する挿入位置を決定するステップと、
決定された挿入位置に合紙を挿入して前記印刷指示に基づく画像を出力するように、受け付けられた印刷指示に基づいた画像を印刷用紙上に出力するための画像出力手段を制御するステップとをコンピュータに実行させるためのプログラム。
【発明の効果】
【００１５】
請求項１に係る本発明によれば、使用者により合紙の挿入位置を指定することを必要とすることなく、異なる状況下においても同じ挿入位置に合紙を挿入することが可能な画像形成装置を提供することができる。
【００１６】
請求項２に係る本発明によれば、使用者により合紙の挿入位置を指定することを必要とすることなく、異なる状況下においても章毎または節毎の同じ挿入位置に合紙を挿入することが可能な画像形成装置を提供することができる。
【００１７】
請求項３に係る本発明によれば、使用者によりタブ紙の挿入位置を指定することを必要とすることなく、異なる状況下においても同じ挿入位置にタブ紙を挿入することが可能な画像形成装置を提供することができる。
【００１８】
請求項４に係る本発明によれば、請求項３に係る本発明により得られる効果に加えて、タブ領域に印刷された色に基づいて印刷文書の言語を容易に判定することが可能な画像形成装置を提供することができる。
【００１９】
請求項５に係る本発明によれば、請求項３に係る本発明により得られる効果に加えて、異なる言語の印刷文書を同一章または節単位でまとめるとともに、使用されるタブ紙の枚数を節約することが可能な画像形成装置を提供することができる。
【００２０】
請求項６に係る本発明によれば、請求項３に係る本発明により得られる効果に加えて、異なる言語の同内容の印刷文書をする際に、挿入される合紙の視認性を向上させることが可能な画像形成装置を提供することができる。
【００２１】
請求項７に係る本発明によれば、使用者により合紙の印刷設定の指定や挿入位置を指定することを必要とすることなく、異なる状況下においても同じ挿入位置にタブ紙を挿入することが可能な画像形成装置を提供することができる。
【００２２】
請求項８に係る本発明によれば、使用者により合紙の挿入位置を指定することを必要とすることなく、異なる状況下においても同じ挿入位置に合紙を挿入することが可能なプログラムを提供することができる。
【図面の簡単な説明】
【００２３】
【図１】本発明の第１の実施形態の画像形成システムのシステム構成を示す図である。
【図２】本発明の第１の実施形態における画像形成装置１０のハードウェア構成を示すブロック図である。
【図３】本発明の第１の実施形態における画像形成装置１０の機能構成を示すブロック図である。
【図４】タブ紙挿入機能を使用することを選択し、章の前にのみタブ紙を挿入するような設定を選択した場合に端末装置２０に表示される画面の一例を示す図である。
【図５】図４の表示画面例において「設定」ボタンを操作した場合に表示される画面の一例を示す図である。
【図６】図５の表示画面例において、ページ属性に応じて挿入するタブ紙を変更することを選択して、「設定」ボタンを操作した場合に表示される画面の一例を示す図である。
【図７】本発明の第１の実施形態の画像形成装置１０の動作を示すフローチャートである。
【図８】印刷処理を実行する構造化文書の一例を示す図である。
【図９】本発明の第１の実施形態の画像形成装置１０により出力された印刷文書の一例を示す図である。
【図１０】図９に示した印刷文書中に挿入されているタブ紙のみを取り出してタブ領域周辺のみを拡大した図である。
【図１１】本発明の第２の実施形態の画像形成装置により印刷処理を実行しようとする構造化文書の一例を示す図である。
【図１２】文書構造に応じてタブ紙を纏めるという設定が選択された際の端末装置２０に表示される画面例を示す図である。
【図１３】本発明の第２の実施形態の画像構成装置の用紙トレイに設定されている用紙種類を説明するための図である。
【図１４】本発明の第２の実施形態の画像構成装置において印刷処理が実行される際の印刷順序の一例を示す図である。
【図１５】図１４に示した印刷順序で出力された印刷文書の一例を示す図である。
【図１６】本発明の第３の実施形態の画像形成装置により印刷処理がされた印刷文書の一例を示す図である。
【図１７】タブ位置が異なる５枚のタブ紙により構成されているタブ紙セットの例を示す図である。
【図１８】本発明の第３の実施形態の画像形成装置の動作を示すフローチャートである。
【図１９】タブ紙の印刷設定に関する属性情報を含めるようにした構造化文書の一例を示す図である。
【発明を実施するための形態】
【００２４】
次に、本発明の実施の形態について図面を参照して詳細に説明する。
【００２５】
[第１の実施形態]
図１は本発明の第１の実施形態の画像形成システムの構成を示すシステム図である。
【００２６】
本発明の第１の実施形態の画像形成システムは、図１に示されるように、ネットワーク３０により相互に接続された画像形成装置１０、および端末装置２０により構成される。端末装置２０は、印刷ジョブ（印刷指示）を生成して、ネットワーク３０経由にて生成した印刷ジョブを画像形成装置１０に対して送信する。画像形成装置１０は、端末装置２０から送信された印刷ジョブを受け付けて、印刷ジョブに応じた画像を印刷用紙上に出力する。なお、画像形成装置１０は、印刷（プリント）機能、スキャン機能、複写（コピー）機能、ファクシミリ機能等の複数の機能を有するいわゆる複合機と呼ばれる装置である。
【００２７】
次に、本実施形態の画像形成システムにおける画像形成装置１０のハードウェア構成を図２に示す。
【００２８】
画像形成装置１０は、図２に示されるように、ＣＰＵ１１、メモリ１２、ハードディスクドライブ（ＨＤＤ）等の記憶装置１３、ネットワーク３０を介して外部の装置等との間でデータの送信及び受信を行う通信インタフェース（ＩＦ）１４、タッチパネル又は液晶ディスプレイ並びにキーボードを含むユーザインタフェース（ＵＩ）装置１５、スキャナ１６、プリントエンジン１７を有する。これらの構成要素は、制御バス１８を介して互いに接続されている。
【００２９】
ＣＰＵ１１は、メモリ１２または記憶装置１３に格納された制御プログラムに基づいて所定の処理を実行して、画像形成装置１０の動作を制御する。なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００３０】
図３は、上記の制御プログラムが実行されることにより実現される画像形成装置１０の機能構成を示すブロック図である。
【００３１】
本実施形態の画像形成装置１０は、図３に示されるように、印刷ジョブ受付部３１と、印刷ジョブ格納部３２と、属性情報取得部３３と、挿入位置決定部３４と、タブ紙設定部３５と、出力制御部３６と、画像出力部３７とを備えている。
【００３２】
印刷ジョブ受付部３１は、文書構造を示すタグ情報を含む構造化文書により表現された文書を印刷するための印刷ジョブ（印刷指示）を端末装置２０からネットワーク３０経由にて受け付ける。そして、印刷ジョブ受付部３１により受け付けられた印刷ジョブは印刷ジョブ格納部３２において格納される。
【００３３】
ここで、構造化文書とは、例えば、ＳＧＭＬ(Standard Generalized Markup Language：文章記述言語)、ＸＭＬ(eXtensible Markup Language)等の構造化言語により記述された文書のことである。
【００３４】
属性情報取得部３３は、印刷ジョブ受付部３１により受け付けられて印刷ジョブ格納部３２に格納された印刷ジョブから構造化文書中に記述されている属性情報を取得する。
【００３５】
挿入位置決定部３４は、属性情報取得部３３により取得された属性情報に基づいて、印刷された文書を区切るためのタブ紙を挿入する挿入位置を決定する。具体的には、挿入位置決定部３４は、取得された属性情報に含まれる章または節の情報に基づいて、タブ紙を挿入する挿入位置を決定する。
【００３６】
ここでタブ紙とは、一辺から突出したタブ領域を有する用紙であり、印刷文書を内容毎に区切るとともにタブ領域に区切られた印刷文書の内容を印字することにより印刷文書の検索を容易にするために使用されるものである。
【００３７】
タブ紙設定部３５は、属性情報取得部３３により取得された属性情報に含まれる言語属性に基づいて、タブ紙のタブ領域に印刷する色を設定する。例えば、タブ紙設定部３５は、属性情報に含まれる言語属性が日本語の章を区切るためのタブ紙のタブ領域には白色の印刷を行い、属性情報に含まれる言語属性が英語の章を区切るためのタブ紙のタブ領域には灰色の印刷を行うというような設定を行う。
【００３８】
画像出力部３７は、印刷ジョブ受付部３１により受け付けられた印刷ジョブに基づいた画像を印刷用紙上に出力するための機能を備えている。
【００３９】
出力制御部３６は、タブ紙設定部３５により設定されたタブ紙の印刷に関する設定に基づいてタブ紙の印刷を行うとともに、挿入位置決定部３４により決定された挿入位置にタブ紙を挿入して、印刷ジョブに基づく画像を出力するように画像出力部３７を制御する。
【００４０】
次に、本実施形態の画像形成装置１０の動作を図面を参照して詳細に説明する。
【００４１】
先ず、クライアント装置である端末装置２０側において、印刷文書に挿入するタブ紙の設定を行う場合に表示される画面の一例を図４〜図６に示す。
【００４２】
図４には、タブ紙挿入機能を使用することを選択し、章の前にのみタブ紙を挿入するような設定を選択した場合に表示される画面の一例を示す図である。
【００４３】
そして、この図４の表示画面例において「設定」ボタンを操作した場合に表示される画面の一例を図５に示す。この図５に示す画面例では、ページ属性に応じて挿入するタブ紙を変更するか否かを選択するようになっている。
【００４４】
そして、この図５の表示画面例において、ページ属性に応じて挿入するタブ紙を変更することを選択して、「設定」ボタンを操作した場合に表示される画面の一例を図６に示す。この図６に示す画面例では、ページ属性中の言語属性に応じてタブ紙に印刷する色をタブ属性として設定する場合が示されている。そして、この図６では、言語属性が日本語の場合にはタブ紙に印刷する色を白色とし、言語属性が英語の場合にはタブ紙に印刷する色を灰色とし、言語属性が中国語の場合にはタブ紙に印刷する色を青色とするような設定が行われた場合が示されている。
【００４５】
なお、端末装置２０では、構造化文書を作成する際に、タブ紙を挿入しようとする位置に章または節の区切りを挿入するようにして印刷ジョブを作成するようにする。
【００４６】
そして、このような設定が行われた印刷ジョブが端末装置２０からネットワーク３０経由にて画像形成装置１０に送信された場合の、画像形成装置１０における動作を図７のフローチャートを参照して説明する。
【００４７】
なお、ここでは、構造化文書の一例として図８に示すような構成の文書を印刷する場合を用いて説明する。
【００４８】
先ず、印刷ジョブ受付部３１が端末装置２０からの印刷ジョブ（印刷指示）を受け付ける（ステップＳ１０１）。すると、この印刷ジョブは印刷ジョブ格納部３２に格納される。
【００４９】
そして、属性情報取得部３３が、印刷ジョブ格納部３２に格納されている印刷ジョブにタブ紙挿入の指示が設定されているか否かを判定する（ステップＳ１０２）。
【００５０】
このステップＳ１０２においてタブ紙挿入の指示が設定されていないと判定された場合、出力制御部３６では、タブ紙を挿入することなく、印刷ジョブ格納部３２に格納されている印刷ジョブに基づいた画像が印刷用紙上に出力されるよう画像出力部３７を制御して印刷処理が実行される（ステップＳ１０７）。
【００５１】
ステップＳ１０２においてタブ紙挿入の指示が設定されていると判定された場合、属性情報取得部３３では、さらにページ属性に基づいてタブ紙を変更する設定がされているか否かを判定する（ステップＳ１０３）。
【００５２】
そして、このステップＳ１０３においてページ属性に基づいてタブ紙を変更する設定がされていると判定された場合、属性情報取得部３３は、印刷ジョブからページ属性を取得する。
【００５３】
すると、タブ紙設定部３５は、取得したページ属性に含まれる言語属性に基づいてタブ紙のタブ領域に印刷する色を設定する（ステップＳ１０５）。例えば、言語属性が日本語の場合には白色、言語属性が英語の場合には灰色、言語属性が中国語の場合には青色というような設定を行う。
【００５４】
また、挿入位置決定部３４は、ページ属性により印刷文書を構成する各章の区切りを把握し、各章の先頭にタブ紙が挿入されるよう、タブ紙の挿入位置を設定する（ステップＳ１０６）。
【００５５】
なお、ステップＳ１０３においてページ属性に基づいてタブ紙を変更する設定がされていないと判定された場合、挿入位置決定部３４により、タブ紙の挿入位置のみが決定される。
【００５６】
そして、上記のような処理が印刷ジョブの全体に対して行われると、出力制御部３６は、挿入位置決定部３４により決定された挿入位置にタブ紙が挿入されるよう画像出力部３７を制御して、印刷ジョブに基づく印刷処理を実行する（ステップＳ１０７）。この際に、出力制御部３６は、タブ紙設定部３５により設定されたタブ紙の印刷色に基づいて、タブ紙のタブ領域が印刷されるよう画像出力部３７を制御する。
【００５７】
このような処理により出力された印刷文書の一例を図９に示す。また、図９に示す印刷文書中に挿入されているタブ紙のみを取り出してタブ領域周辺のみを拡大したものを図１０に示す。図９に示す例では、各章の区切りにそれぞれタブ紙が挿入されており、それぞれのタブ紙のタブ領域には、構造化文書中に設定されている各章のタイトルの情報が印刷されている。例えば、第１章の先頭には、第１章のタイトルに設定されている「設置方法」という情報がタブ領域に印刷されている。
【００５８】
そして、図１０に示されるように、各章に対して設定されている言語属性に応じてそれぞれのタブ紙には異なる色が印刷されている。例えば、言語属性が「日本語」の第１章、第２章のタブ紙には白色が印刷され、言語属性が「英語」の第３章のタブ紙には灰色が印刷され、言語属性が「中国語」の第４章、第５章のタブ紙には青色が印刷されている。
【００５９】
［第２の実施形態］
次に、本発明の第２の実施形態の画像形成装置について説明する。
【００６０】
本実施形態の画像形成装置は、上記で説明した第１の実施形態の画像形成装置１０に対して、出力制御部３６の動作が異なるものであるため、上記の第１の実施形態を参照して説明を行う。
【００６１】
本実施形態における出力制御部３６は、ページ属性等の属性情報に含まれる言語属性に基づいて、印刷する際に使用する用紙種類を切り替えるとともに、この属性情報に含まれる言語属性が異なり属性情報に含まれる章または節が同じ文書が、同一のタブ紙により区切られた中に収まるように印刷順序を変更するよう画像出力部３７を制御する。
【００６２】
先ず、本実施形態の画像形成装置により印刷処理を実行しようとする構造化文書の一例を図１１に示す。ある言語で作成された構造化文書を他の言語に翻訳する場合、文書構造はそのままで言語のみを翻訳する場合が多い。図１１に示す例は、日本語で作成された構造化文書を英語に翻訳した場合を示すものである。図１１に示すように、この２つの構造化文書は、文書構造は全く同一であり、言語のみが翻訳された構造となっている。
【００６３】
本実施形態の画像形成装置に対して送信しようとする印刷ジョブを生成する際に、端末装置２０では、図１２に示すような設定が行われる。この図１２に示す例では、文書構造に応じてタブ紙を纏めるという設定が選択されている。
【００６４】
そして、本実施形態の画像構成装置の用紙トレイに設定されている用紙種類を図１３を参照して説明する。
【００６５】
図１３に示されるように、トレイ１とトレイ２には、用紙サイズが同じで、用紙種類が異なる用紙が設定されている。例えば、トレイ１には、白色の普通紙が設定され、トレイ２には灰色の再生紙が設定されている。また、トレイ３には、タブ領域を備えたタブ紙が設定されている。
【００６６】
例えば、印刷ジョブ中において章の前にのみタブ紙を挿入するという設定がされている場合、画像出力部３７では、章の開始位置において自動的にトレイ３のタブ紙が給紙され、タブ領域にその章のタイトル情報が印字された後に出力トレイに排紙される。さらに、各章で言語属性が切り替わるタイミングで給紙するトレイが変更され、給紙された印刷用紙上に印刷処理が行われて出力トレイ上に排紙される。言語属性が切り替わることにより給紙トレイを変更する際に、前回の言語属性で使用された給紙トレイを画像形成装置で記憶しておいて、言語属性が切り替わると別の給紙トレイに変更するようにしてもよいし、端末装置２０側において予め言語属性に応じて使用する給紙トレイを設定しておいてもよい。
【００６７】
そして、本実施形態の画像形成装置では、言語属性に応じて印刷用紙の用紙種類を切り替えるだけでなく、言語属性が異なる同一の章の印刷文書を同一のタブ紙に区切られた範囲内に纏めるよう印刷順序が変更される。
【００６８】
例えば、図１４に示すような印刷順序で印刷処理が実行される。この図１４に示した例では、１枚のタブ紙により区切られた範囲内に、日本語、英語、中国語の印刷文書が、それぞれ、普通紙、再生紙、普通紙上に印刷されて纏められている。
【００６９】
この図１４の印刷順序で出力された印刷文書を図１５に示す。この図１５に示されるように、異なる言語属性の同一章の文書が同じタブ紙により区切られた範囲内に纏められている。そして、同一章の異なる言語の印刷文書は、普通紙、再生紙、普通紙というように隣接する他言語の印刷文書とは、異なる用紙種類が使用されているため、外見だけで言語間の区切りを把握できるようになっている。
【００７０】
また、使用されるタブ紙の枚数は、各言語の各章毎にそれぞれタブ紙を挿入した場合と比較して、３分の１というように大幅に削減されている。
【００７１】
［第３の実施形態］
次に、本発明の第３の実施形態の画像形成装置について説明する。
【００７２】
本実施形態の画像形成装置も、上記で説明した第１の実施形態の画像形成装置１０に対して、出力制御部３６の動作が異なるものであるため、上記の第１の実施形態を参照して説明を行う。
【００７３】
本実施形態における出力制御部３６は、ページ属性のような属性情報に含まれる言語属性が変化した場合に、タブ領域が設けられている位置が異なる複数のタブ紙により構成されているタブ紙セット（タブ紙組）のうちの残りのタブ紙を使用せずに排出するよう制御する。
【００７４】
本実施形態の画像形成装置は、複数言語の構造化文書を印刷する際に、各言語で同一の章または節に挿入されたタブ紙のタブ位置が同じになるようにするものである。
【００７５】
本実施形態の画像形成装置により印刷処理がされた印刷文書の一例を図１６に示す。この図１６では、日本語と英語という２種類の言語属性の構造化文書を印刷した場合が示されている。そして、この図１６では、第１章、第２章、第３章に挿入されたタブ紙のタブ領域の位置が日本語の印刷文書と英語の印刷文書とで同じになっているのが分かる。
【００７６】
ここでタブ位置とは、タブ紙のタブ領域が設けられている位置を意味している。図１７に示すように、１つのタブ紙セットは、例えば、タブ位置が異なるタブ紙により構成されている。これは、印刷文書中にタブ紙が挿入された場合に、前後のタブ紙のタブ領域が重ならないようにして見易くするためである。
【００７７】
そして、本実施形態の画像形成装置では、例えば、日本語と英語の構造化文書がそれぞれ３つの章により構成されている場合、タブ紙セット中の５種類のタブ紙のうち、１〜３番目のタブ紙のみを使用して４、５番目のタブ紙を使用せずに廃棄するようにする。具体的には、出力制御部３６は、言語属性が変更した場合、１つのタブ紙セットのうち、その時点で残っているタブ紙を使用せずに排出するようにする。
【００７８】
次に、本実施形態の画像形成装置の動作を図１８のフローチャートを参照して説明する。
【００７９】
なお、図１８のフローチャートにおいて、ステップＳ２０１〜ステップＳ２０５、Ｓ２０９、Ｓ２１０の処理は、図７に示したフローチャートにおけるステップＳ１０１〜ステップＳ１０５、Ｓ１０６、Ｓ１０７と同様であるため、その説明は省略する。
【００８０】
本実施形態の画像形成装置では、ページ属性に基づきタブ紙の位置を合わせる設定がされていて（ステップＳ２０６においてＹｅｓ）、ページ属性の言語属性が切り替わった場合（ステップＳ２０７においてＹｅｓ）、出力制御部３６は、その時点で残っているタブ紙を排出するような設定を行う（ステップＳ２０８）。
【００８１】
［第４の実施形態］
次に、本発明の第４の実施形態の画像形成装置について説明する。
【００８２】
上記の第１から第３の実施形態の画像形成装置では、構造化文書のページ属性から言語属性のような文書構造に関する属性情報を抽出して、この属性情報に基づいてタブ紙の印刷色の設定等を行うものであった。
【００８３】
しかし、本実施形態の画像形成装置は、構造化文書の属性に、文書構造に関する属性情報だけでなくタブ紙の印刷設定に関する属性情報を含めるようにして、タブ紙の印刷色等の指定を行わなくても自動的にタブ紙の印刷色等の設定が行われるようにしたものである。
【００８４】
つまり、本実施形態における属性情報取得部３３は、印刷ジョブ受付部３１により受け付けられた印刷ジョブから構造化文書中に記述されている文書構造に関する属性情報とともにタブ紙の印刷設定に関する属性情報を取得する。
【００８５】
そして、挿入位置決定部３４は、属性情報取得部３３により取得された文書構造に関する属性情報に基づいて、タブ紙を挿入する挿入位置を決定し、タブ紙設定部３５は、属性情報取得部３３により取得されたタブ紙の印刷設定に関する属性情報に基づいて、タブ紙に対する印刷処理の設定を行う。
【００８６】
タブ紙の印刷設定に関する属性情報を含めるようにした構造化文書の一例を図１９に示す。
【００８７】
この図１９に示された構造化文書の一例では、第１章の開始前に設定されたページ属中のタブ属性の言語属性として「日本語」が設定され、さらに挿入するタブ紙の背景色として「白色」が設定されている。また、第３章の開始前に設定されたページ属中のタブ属性の言語属性として「英語」が設定され、さらに挿入するタブ紙の背景色として「灰色」が設定されている。
【００８８】
本実施形態の画像形成装置では、この図１９に示すような構造化文書に基づいて印刷処理を行った場合、使用者の指定を必要とすることなく自動的に、ページ属性の言語属性が日本語のタブ紙の背景色は白色に印刷され、ページ属性の言語属性が英語のタブ紙の背景色は灰色に印刷される。
【００８９】
[変形例]
上記第１から第４の実施形態では、印刷された文書を区切るためにタブ紙を印刷文書中に挿入する場合を用いて説明したが、本発明はこれに限定されるものではなく、タブ領域の無い用紙を合紙として印刷文書中に区切りとして挿入する場合でも同様に本発明を適用することができるものである。
【符号の説明】
【００９０】
１０    画像形成装置
１１    ＣＰＵ
１２    メモリ
１３    記憶装置
１４    通信インタフェース（ＩＦ）
１５    ユーザインタフェース（ＵＩ）装置
１６    スキャナ
１７    プリントエンジン
１８    制御バス
２０    端末装置
３０    ネットワーク
３１    印刷ジョブ受付部
３２    印刷ジョブ格納部
３３    属性情報取得部
３４    挿入位置決定部
３５    タブ紙設定部
３６    出力制御部
３７    画像出力部
【図１】
2013107360.tif 000003
【図２】
2013107360.tif 000004
【図３】
2013107360.tif 000005
【図４】
2013107360.tif 000006
【図５】
2013107360.tif 000007
【図６】
2013107360.tif 000008
【図７】
2013107360.tif 000009
【図８】
2013107360.tif 000010
【図９】
2013107360.tif 000011
【図１０】
2013107360.tif 000012
【図１１】
2013107360.tif 000013
【図１２】
2013107360.tif 000014
【図１３】
2013107360.tif 000015
【図１４】
2013107360.tif 000016
【図１５】
2013107360.tif 000017
【図１６】
2013107360.tif 000018
【図１７】
2013107360.tif 000019
【図１８】
2013107360.tif 000020
【図１９】
2013107360.tif 000021